(57)【要約】【課題】交換レンズを逆付けにしてカメラに取り付けた際、アダプターなどを介して信号線を接続しただけでは正しくレンズを制御する事が出来ない。【解決手段】複数個所にカメラとの接点を有するレンズにおいて、カメラに取り付けられた接点の場所に応じたレンズ制御情報を持ち、カメラに取り付けられた接点の場所に応じて前記レンズ制御情報を切り換える。【選択図】図１
2016206568.tif 000002
【特許請求の範囲】
【請求項１】
複数個所にカメラとの接点を有するレンズにおいて、カメラに取り付けられた接点の場所に応じたレンズ制御情報を持ち、カメラに取り付けられた接点の場所に応じて前記レンズ制御情報を切り換えることを特徴とする交換レンズ。
【請求項２】
複数個所にカメラとの接点を有するレンズにおいて、カメラに取り付けられた接点の場所に応じたレンズ制御情報を持ち、カメラに取り付けられた接点の場所に応じて前記レンズ制御情報を切り換えることを特徴とするカメラシステム。
【発明の詳細な説明】
【技術分野】
【０００１】
本発明は、レンズを逆付けする事が可能なカメラシステムに関する。
【背景技術】
【０００２】
従来より、カメラに対してレンズを逆付けにする事で接写を可能にする所謂リバースマクロという撮影手法が知られている。このようにレンズを逆付けにしてカメラに取り付ける際には、レンズ前面のフィルタネジに逆付け用アダプタを取りつけてカメラと接続可能にしたものが利用される。この場合カメラとレンズは電気的な接続がされておらず、カメラからの絞りの制御や情報のやり取りを行う事は出来ない。
【０００３】
そこで、特許文献１に記載のように、レンズマウントの信号をレンズ先端に延ばしたアダプタや、特許文献２に記載のように、レンズの先端にもカメラとの電子接点を設けて、逆付け時にもカメラとレンズ間で情報のやり取りを出来るようにしたものがある。
【先行技術文献】
【特許文献】
【０００４】
【特許文献１】特開平5-142636号公報
【特許文献２】特開2004-361625号公報
【発明の概要】
【発明が解決しようとする課題】
【０００５】
特許文献１と特許文献２に記載の発明は共に、レンズを逆付け時にもカメラとの情報のやり取りや自動絞りの動作自体は可能となるが、レンズを逆付けした時の光学性能に基づいた測光情報や、オートフォーカスなどを駆動させようとした場合正しく動作しない。これは、レンズを逆付けにする事でレンズを駆動させるべき方向が本来とは逆になるなど、逆付けされた時の制御情報を保持していないためである。
【課題を解決するための手段】
【０００６】
そこで、上記の課題を解決するために、請求項１に記載の発明は、
複数個所にカメラとの接点を有するレンズにおいて、カメラに取り付けられた接点の場所に応じたレンズ制御情報を持ち、カメラに取り付けられた接点の場所に応じて前記レンズ制御情報を切り換えることを特徴としている。
【発明の効果】
【０００７】
本発明によれば、交換レンズを逆付けして撮影する際にも、逆付け時に応じた制御情報を用いてレンズを正しく制御する事が出来る。
【図面の簡単な説明】
【０００８】
【図１】本発明のカメラシステムを表すブロック図である。
【図２】本発明のレンズマウント及び逆付け時のレンズマウントを表す図である。
【図３】本発明のレンズの動作を表す図である。
【発明を実施するための形態】
【０００９】
以下、本発明を図示の実施の形態に基づいて詳細に説明する。
【実施例】
【００１０】
以下に、本発明によるカメラシステムの構成について説明する。図１に示すように、カメラシステムはカメラ本体（１０１）と交換レンズ（１０２）とからなる。被写体からの撮影光束は交換レンズ（１０２）の撮影光学系を通り、撮影準備中は中央部分がハーフミラーとなっているクイックリターン主ミラー（１０３）で一部が反射され、ペンタプリズム（１０４）において正立像となる。撮影者はこの正立像を光学ファインダー（１０５）において被写体像として確認することができる。不図示のピント板面上の照度を測光回路（１０６）で測定し、その測定結果をカメラＭＰＵ（１０７）に入力する。カメラＭＰＵ（１０７）は露光時間、絞りなどの撮影条件を決定する。測光回路（１０６）内の測光センサは、複数のエリアに分割されており、エリアごとの測光結果を得ることができる。
【００１１】
クイックリターン主ミラー（１０３）の裏面にはサブミラー（１０８）が配置されており、クイックリターン主ミラー（１０３）のハーフミラー面を通過した光束を測距手段（１０９）に入射させる。測距手段（１０９）は入射した光束を光電変換及び信号処理して測距データを作成し、カメラＭＰＵ（１０７）に入力する。
【００１２】
撮影動作に入ると、クイックリターン主ミラー（１０３）及びサブミラー（１０８）はペンタプリズム（１０４）側へ退避し、フォーカルプレーンシャッター（１１０）がシャッター駆動回路（１１１）により駆動される。すると、撮影光束は撮影光学画像として撮像部（１１２）面上に結像する。その撮影光学画像は、撮像部（１１２）によって光電変換され撮像信号となる。撮像部（１１２）はタイミングジェネレータ（１１３）により蓄積動作、読み出し動作及びリセット動作などを制御される。撮像信号は、ＣＤＳ（２重相関サンプリング）回路（１１４）により蓄積電荷ノイズが低減され、ゲインコントロール回路（１１５）により信号の増幅がされる。その後Ａ／Ｄ変換器（１１６）でアナログからデジタルの画像データへ変換がされる。デジタル化された画像データは、映像信号処理回路（１１７）でフィルタ処理、色変換処理及びガンマ処理などが行われ、バッファメモリ（１１８）に格納される。画像データはバッファメモリ（１１８）からＬＣＤ（１１９）に表示されたり、着脱可能なメモリカード（１２０）に記録される。
【００１３】
操作部（１２１）は撮影時のレリーズを行うためのスイッチ、カメラの撮影モードの設定や、記録画像ファイルサイズの設定などを行うための各種操作スイッチである。カメラＭＰＵ（１０７）はカメラ本体（１０１）の上記動作を制御するほか、カメラ本体（１０１）側の通信端子（１２２）を介して、レンズＭＰＵ（１２６）と相互に通信する。この通信では、交換レンズ（１０２）へフォーカス駆動命令を送信したり、カメラ本体（１０１）や交換レンズ（１０２）内部の動作状態や光学情報などのデータを送受信したりする。
【００１４】
交換レンズ（１０２）には、撮影光学系の一部として、フォーカスレンズ（１２９）、ズームレンズ（１３０）、像振れ補正用レンズ（１３１）、絞り（１３９）が配置されている。フォーカスレンズ（１２９）は、レンズＭＰＵ（１２５）からの制御信号によりフォーカス制御回路（１３２）を介して駆動される。フォーカス制御回路（１３２）には、フォーカスレンズ駆動回路のほか、フォーカスレンズ駆動用モータ、フォーカスレンズの移動に応じたゾーンパターン信号やパルス信号を出力するフォーカスエンコーダなども含まれている。被写体距離はこのフォーカスエンコーダにより検知することができる。
【００１５】
ズームレンズ（１３０）は、撮影者が不図示のズーム操作環を操作することにより移動する。ズームエンコーダ（１３３）はズームレンズの移動に応じたゾーンパターン信号を出力する。撮影像倍率は、レンズＭＰＵ（１２５）がフォーカスエンコーダとズームエンコーダ（１３３）からの信号を読み取り、被写体距離と焦点距離の組み合わせにより予め記憶されている撮影像倍率データを読み出すことによって得られる。
【００１６】
像振れ補正レンズ（１３１）は、像振れ補正制御回路（１３４）を介して駆動される。像振れ補正は、次のように行われる。まず、回転振れを検出する角速度センサ（１３６）の振れ信号が信号処理回路（１３７）で信号処理されレンズＭＰＵ（１２５）に入力される。次にレンズＭＰＵ（１２５）は、補正レンズ駆動目標信号を算出し、この補正レンズ駆動目標信号と補正レンズエンコーダ（１３５）から出力される補正レンズ位置信号との差に応じた駆動信号を像振れ補正制御回路（１３４）に出力する。像振れ補正は、このように補正レンズエンコーダ（１３５）から出力される補正レンズ位置信号を像振れ補正制御回路（１３４）にフィードバックすることで行われる。なお上記の像振れ補正制御は、カメラ本体（１０１）を中心として、上下方向の傾きを検出するためのピッチ軸、左右方向の傾きを検出するためのヨー軸の２軸それぞれにおいて行われる。
【００１７】
絞り（１３９）は、レンズＭＰＵ（１２５）からの制御信号により絞り制御回路（１３８）を介して駆動される。交換レンズ（１０２）はレンズマウント１（１２３）及び、逆付け用のレンズマウント２（１２８）を利用してカメラ本体（１０１）と接続される。レンズマウント１（１２３）及び逆付け用のレンズマウント２（１２８）にはそれぞれレンズ側通信端子１（１２４）及びレンズ側通信端子２（１２６）が備えられており、カメラ側通信端子（１２２）を介してレンズＭＰＵ（１２６）とカメラＭＰＵ（１０７）で互いに情報のやり取りが可能である。また、レンズマウント２（１２８）には、逆付け取り付け時の検出スイッチ（１２７）が備えられており、レンズＭＰＵ（１２６）はレンズマウント１（１２３）とレンズマウント２（１２８）のどちら側がカメラ本体（１０１）に接続されたかの判断が可能である。
【００１８】
図２(a)は図１のAで示される側から見たレンズマウント１（１２３）の図で、図2(b)は図１のBで示される側から見た逆付け用のレンズマウント２（１２８）の図である。図２(a)は通常撮影時に使用されるマウントであり、マウントには通信端子１（１２４）が設けられている。図２(b)はレンズを逆向きにカメラに取り付けるために使用されるマウントであり、マウントには通信端子２（１２６）及び逆付けを検出するためのスイッチ（１２７）が設けられている。このスイッチは金属端子２つから成り、これらの端子はレンズMPU（１２５）と電気的に接続されている。普段はこの金属端子間は非導通でＯＦＦ状態となっているが、カメラマウントに取り付けられた際にカメラマウントにより２端子間が導通しＯＮ状態となり、レンズＭＰＵ（１２５）が取り付け状態を判別する事ができる。
【００１９】
図３はレンズ（１０２）をカメラ本体（１０１）に接続した時のレンズMPU（１２５）の動作を示したフローチャートである。以下に動作の説明を記す。
【００２０】
まず、ステップ＃３０１において、レンズ（１０２）がカメラ本体（１０１）に接続をされるとカメラから電源が供給され、レンズＭＰＵ（１２５）が動作を開始する。
【００２１】
ステップ＃３０２で、レンズＭＰＵ（１２５）は逆付け検出スイッチ（１２７）の状態を検出する。レンズマウント１（１２３）側がカメラ本体（１０１）に取り付けられている場合、逆付け検出スイッチ（１２７）の端子間は非導通状態であるためＯＦＦと判別され、レンズマウント２（１２８）側がカメラ本体（１０１）に取り付けられている場合は、ＯＮと判別される。
【００２２】
ステップ＃３０２においてＯＦＦと判別された場合、ステップ＃３０３へ進む。この時には通常撮影であるため、通常設定のレンズ制御情報を用いるように選択を行う。ステップ＃３０２においてＯＮ，すなわちレンズが逆付けされていると判別された場合、ステップ＃３０４へ進む。この状態では通常設定のレンズ制御情報とは異なるレンズ制御情報を用いるように選択がされる。具体的には、通常設定のレンズ制御情報に対して、フォーカスレンズ（１２９）の駆動方向が逆となったり、逆付けにされた時の光学特性に応じた制御情報をカメラに通知したりする。これらの初期設定が終了したあと、ステップ＃３０５においてカメラ本体（１０１）との通信を開始する。
【００２３】
上記の実施の形態によれば、レンズ（１０２）がカメラに取り付けられたレンズマウントを判別し、その時に適した制御情報を用いてレンズを制御する事が可能となるため、絞り以外にもオートフォーカスなどの正しい制御情報を用いてレンズを制御する事が可能となる。
【００２４】
本実施例では、電気的に取り付け状態を検出する取り付け検出スイッチについて記載をしているが、レンズマウントに突起を設けてカメラマウントとの接続時に押下されるような機械式スイッチを用いてもよい。
【００２５】
また、通常レンズマウント側にもスイッチを取りつけ、片側のスイッチがＯＮされている際にはもう片側のスイッチと通信端子を無効にするような構成にしてもよい。
【００２６】
また逆付け用のマウントを持つのではなく電子接点のみを持ち、逆付け用のアダプターを介してカメラに取り付けられるよう構成してもよい。
【００２７】
以上、本発明の好ましい実施形態について説明したが、本発明はこれらの実施形態に限定されず、その要旨の範囲内で種々の変形および変更が可能である。
【符号の説明】
【００２８】
１０１  カメラ本体、１０２  交換レンズ、１２３  レンズマウント、
１２４  レンズ側通信端子１、１２６  レンズ側通信端子２、
１２７  逆付け検出スイッチ、１２８  逆付け用レンズマウント
【図１】
2016206568.tif 000003
【図２】
2016206568.tif 000004
【図３】
2016206568.tif 000005